(57)【特許請求の範囲】
【請求項１】
末端基の少なくとも一部に水酸基を含む表面層を有する感光体と、
前記感光体の表面に静電潜像を形成する潜像形成手段と、
Ｈ２Ｏを含むトナーによって前記感光体の表面に形成された静電潜像を現像する現像手段と、
前記感光体上に形成されたトナー像を直接又は中間転写体を介して被記録材に転写する転写手段と、
前記転写手段を通過した感光体の表面に付着した転写残トナーを清掃する清掃手段と、
画像形成動作終了直後に、前記清掃手段で清掃した転写残トナーを強制的に排出する強制排出動作を実行する強制排出動作実行手段とを備え、
前記強制排出動作実行手段は、湿度に応じて前記強制排出動作を実行することを特徴とする画像形成装置。
【請求項２】
前記強制排出動作実行手段は、強制排出動作を実行する時間を、前記清掃手段によって清掃された転写残トナーの量に基づいて決定することを特徴とする請求項１に記載の画像形成装置。
【発明の詳細な説明】
【技術分野】
【０００１】
この発明は、画像形成装置に関するものである。
【背景技術】
【０００２】
従来、上記画像形成装置においては、形成画像に地肌汚れが生じるのを抑制したり、廃トナーの回収性を改善するための技術として、特開２００９−９８３９３号公報や特開２０１１−９５２８８号公報等に開示された技術が既に提案されている。
【０００３】
上記特開２００９−９８３９３号公報に係る画像形成装置は、画像形成動作が終了してから次の画像形成動作が開始されるまでの間隔が長くなっても、形成画像に地肌汚れが生じるのを抑制することを目的として、画像形成動作終了後、像担持体上の転写残トナーを除去するためのクリーニングモードを実行する制御手段を備えるように構成したものである。
【０００４】
また、上記特開２０１１−９５２８８号公報に係る画像形成装置は、廃トナー回収部内に向けて搬送される廃トナー量にかかわらず、廃トナー回収部内の廃トナーが均し部材によって安定的に均一化されて、均し部材を駆動するための消費電力が比較的低くて、均し部材の稼動効率が高い廃トナー回収装置を提供するため、均し部材は、その駆動条件の切り替えが、クリーニング部内に回収された未転写トナーが搬送経路を介して廃トナー回収部に至るまでの時間の分だけ遅れておこなわれるように制御されるように構成したものである。
【先行技術文献】
【特許文献】
【０００５】
【特許文献１】特開２００９−９８３９３号公報
【特許文献２】特開２０１１−９５２８８号公報
【発明の概要】
【発明が解決しようとする課題】
【０００６】
ところで、この発明が解決しようとする課題は、感光体の表面層と現像剤の特定の組合せによって発生する画像欠陥を抑制することが可能な画像形成装置を提供することにある。
【課題を解決するための手段】
【０００７】
すなわち、請求項１に記載された発明は、末端基の少なくとも一部に水酸基を含む表面層を有する感光体と、
前記感光体の表面に静電潜像を形成する潜像形成手段と、
Ｈ２Ｏを含むトナーによって前記感光体の表面に形成された静電潜像を現像する現像手段と、
前記感光体上に形成されたトナー像を直接又は中間転写体を介して被記録材に転写する転写手段と、
前記転写手段を通過した感光体の表面に付着した転写残トナーを清掃する清掃手段と、
画像形成動作終了直後に、前記清掃手段で清掃した転写残トナーを強制的に排出する強制排出動作を実行する強制排出動作実行手段とを備え、
前記強制排出動作実行手段は、湿度に応じて前記強制排出動作を実行することを特徴とする画像形成装置である。
【０００９】
さらに、請求項２に記載された発明は、前記強制排出動作実行手段は、強制排出動作を実行する時間を、前記清掃手段によって清掃された転写残トナーの量に基づいて決定することを特徴とする請求項１に記載の画像形成装置である。
【発明の効果】
【００１０】
請求項１に記載された発明によれば、感光体の表面層と現像剤の特定の組合せによって発生する画像欠陥を抑制することができる。
【００１１】
また、請求項１に記載された発明によれば、環境条件が変動したときに、感光体の表面層と現像剤の特定の組合せによって発生する画像欠陥を抑制することができる。
【００１２】
さらに、請求項２に記載された発明によれば、清掃手段内の転写残トナーの量を略ゼロにすることができる。
【図面の簡単な説明】
【００１３】
【図１】この発明の実施の形態１に係る画像形成装置を示す全体構成図である。
【図２】この発明の実施の形態１に係る画像形成装置の要部を示す構成図である。
【図３】感光ドラムを示す模式図である。
【図４】感光ドラムの表面保護層を構成する素材を示す化学構造式である。
【図５】画像欠陥を示す模式図である。
【図６】感光ドラムの表面保護層の作用を示す説明図である。
【図７】感光ドラムの電位を示すグラフである。
【図８】この発明の実施の形態１に画像形成装置の制御回路を示すブロック図である。
【図９】この発明の実施の形態２に画像形成装置の制御回路を示すブロック図である。
【発明を実施するための形態】
【００１４】
以下、この発明を実施するための形態（以下「実施の形態」という）について図面を参照しながら説明する。
【００１５】
［実施の形態１］
図１及び図２は、実施の形態１に係る画像形成装置を示すものである。図１はその画像形成装置の全体の概要を示し、図２はその画像形成装置における要部（作像装置など）を拡大して示している。
【００１６】
＜画像形成装置の全体の構成＞
実施の形態１に係る画像形成装置１は、例えばカラープリンタとして構成されたものである。この画像形成装置１は、現像剤４を構成するトナーで現像されるトナー像を形成する複数の作像装置１０と、各作像装置１０で形成されたトナー像をそれぞれ保持して最終的に被記録材の一例としての記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙５上のトナー像を定着させる定着装置４０等を備えている。
【００１７】
この画像形成装置１は、例えば、記録用紙５に形成すべき原稿画像を入力する画像入力装置６０を追加して装備させた場合にはカラー複写機として構成することができる。図中の１ａは画像形成装置の筐体を示し、この筐体１ａは支持構造部材、外装カバー等で形成されている。また、図中の一点鎖線は、筐体１ａ内において記録用紙５が搬送される主な搬送経路を示す。
【００１８】
＜画像形成装置の要部の構成＞
作像装置１０は、イエロー（Ｙ）、マゼンタ（Ｍ）、シアン（Ｃ）及びブラック（Ｋ）の４色のトナー像と特別色Ｓ１，Ｓ２の２種類のトナー像とをそれぞれ専用に形成する６つの作像装置１０Ｙ，１０Ｍ，１０Ｃ，１０Ｋ，１０Ｓ１，１０Ｓ２で構成されている。この６つの作像装置１０（Ｓ１，Ｓ２，Ｙ，Ｍ，Ｃ，Ｋ）は、筐体１ａの内部空間において１列に並べた状態となるよう配置されている。上記特別色（Ｓ１，Ｓ２）の現像剤４（Ｓ１，Ｓ２）としては、例えば、上記４色では表現が困難又は不可能であった色材等で構成されるものが使用され、具体的には、上記４色以外の色のトナー、上記４色のトナーと同一の色であって彩度が異なるトナー、光沢を向上させる透明トナー、点字用の発泡性トナー、蛍光色トナー等である。また、各作像装置１０（Ｓ１，Ｓ２，Ｙ，Ｍ，Ｃ，Ｋ）は、扱う現像剤の種類が異なる点を除けば、以下に示すようにほぼ共通した構成のものである。
【００１９】
各作像装置１０（Ｓ１，Ｓ２，Ｙ，Ｍ，Ｃ，Ｋ）は、図１や図２に示されるように、回転する感光ドラム１１を備えており、この感光ドラム１１の周囲に、次のような各装置が主に配置されている。主な装置とは、感光ドラム１１の像形成が可能な周面（像保持面）を所要の電位に帯電させる帯電装置１２と、感光ドラム１１の帯電された周面に画像の情報（信号）に基づく光ＬＢを照射して電位差のある（各色用の）静電潜像を形成する露光装置１３と、その静電潜像を対応する色（Ｓ１，Ｓ２，Ｙ，Ｍ，Ｃ，Ｋ）の現像剤４のトナーで現像してトナー像にする現像装置１４（Ｓ１，Ｓ２，Ｙ，Ｍ，Ｃ，Ｋ）と、その各トナー像を中間転写装置２０に転写する一次転写装置１５と、一次転写後における感光ドラム１１の像保持面に残留して付着するトナー等の付着物を帯電させる清掃前帯電装置１６と、その再帯電された付着物を取り除いて清掃するドラム清掃装置１７、感光ドラム１１の清掃後における像保持面を除電する除電器１８等である。
【００２０】
感光ドラム１１は、接地処理される円筒状又は円柱状の基材の周面に感光材料からなる光導電性層（感光層）を有する像保持面を形成したものである。この感光ドラム１１は、図示しない回転駆動装置から動力が伝達されて矢印Ａで示す方向に回転するように支持されている。
【００２１】
帯電装置１２は、感光ドラム１１に接触しない状態で配置されるコロナ放電器等の非接触型の帯電装置で構成される。帯電装置１２は、その放電部材に対して帯電用電圧が供給される。帯電用電圧としては、現像装置１４が反転現像を行うものである場合、その現像装置１４から供給されるトナーの帯電極性と同じ極性の電圧又は電流が供給される。
【００２２】
露光装置１３は、画像形成装置１に入力される画像の情報に応じて構成される光（矢付き点線）ＬＢを、帯電された後の感光ドラム１１の周面に対して照射して静電潜像を形成するものである。露光装置１３には、潜像形成時になると画像形成装置１に任意の手段で入力される画像の情報（信号）が送信される。
【００２３】
現像装置１４（Ｓ１，Ｓ２，Ｙ，Ｍ，Ｃ，Ｋ）はいずれも、図２に示されるように、開口部と現像剤４の収容室が形成された筐体１４０の内部に、現像剤４を保持して感光ドラム１１と向き合う２箇所の現像領域までそれぞれ搬送する２つの現像ロール１４１，１４２と、現像剤４を攪拌しながら現像ロール１４２を通過させるよう搬送する２つのスクリューオーガー等の攪拌搬送部材１４３，１４４と、現像ロール１４２に保持される現像剤の量（層厚）を規制する層厚規制部材１４５などを配置して構成されたものである。この現像装置１４には、その現像ロール１４１，１４２と感光ドラム１１の間に現像用電圧が図示しない電源装置から供給される。また、現像ロール１４１，１４２や攪拌搬送部材１４３，１４４は、図示しない回転駆動装置からの動力が伝達されて所要の方向に回転する。さらに、上記４色の現像剤４（Ｙ，Ｍ，Ｃ，Ｋ）と前記２つの特別色の現像剤４（Ｓ１，Ｓ２）としては、非磁性トナーと磁性キャリアを含む二成分現像剤が使用される。
【００２４】
一次転写装置１５は、感光ドラム１１の周面に接触して回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００２５】
ドラム清掃装置１７は、図２に示されるように、一部が開口する容器状の本体１７０と、一次転写後の感光ドラム１１の周面に所要の圧力で接触するように配置されて残留トナー等の付着物を取り除いて清掃する清掃板１７１と、清掃板１７１よりも感光ドラム１１の回転方向上流側で感光ドラムの周面に接触して回転するよう配置される回転ブラシロール１７２と、清掃板１７１で取り除いたトナー等の付着物を回収して図示しない回収システムに送り出すよう搬送するスクリューオーガー等の送出部材１７３等で構成されている。清掃板１７１としては、ゴム等の材料からなる板状の部材（例えばブレード）が使用される。
【００２６】
中間転写装置２０は、図１に示されるように、各作像装置１０（Ｓ１，Ｓ２，Ｙ，Ｍ，Ｃ，Ｋ）の下方の位置に存在するように配置される。この中間転写装置２０は、感光ドラム１１と一次転写装置１５（一次転写ロール）の間となる一次転写位置を通過しながら矢印Ｂで示す方向に回転する中間転写ベルト２１と、中間転写ベルト２１をその内面から所望の状態に保持して回転自在に支持する複数のベルト支持ロール２２〜２７と、ベルト支持ロール２６に支持されている中間転写ベルト２１の外周面（像保持面）側に配置されて中間転写ベルト２１上のトナー像を記録用紙５に二次転写させる二次転写装置３０と、二次転写装置３０を通過した後に中間転写ベルト２１の外周面に残留して付着するトナー、紙粉等の付着物を取り除いて清掃するベルト清掃装置２８とで主に構成されている。
【００２７】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は駆動ロールとして構成され、ベルト支持ロール２３，２５，２７は中間転写ベルト２１の走行位置などを保持する従動ロールとして構成され、ベルト支持ロール２４は張力付与ロールとして構成され、ベルト支持ロール２６は二次転写のバックアップロールとして構成されている。
【００２８】
二次転写装置３０は、図１に示されるように、中間転写装置２０におけるベルト支持ロール２６に支持されている中間転写ベルト３１の外周面部分である二次転写位置を通過しながら矢印Ｃで示す方向に回転する二次転写ベルト３１と、二次転写ベルト３１をその内面から所望の状態に保持して回転自在に支持する複数の支持ロール３２〜３６とで構成されている。二次転写ベルト３１としては、例えば前述した中間転写ベルト２１とほぼ同じ構成で製作される無端状のベルトが使用される。ベルト支持ロール３２は、ベルト支持ロール２６に支持されている中間転写ベルト２１の外周面に対して二次転写ベルト３１を所要の圧力で押し当てるように配置される。ベルト支持ロール３２は駆動ロールとして構成され、ベルト支持ロール３６は張力付与ロールとして構成されている。また、二次転写装置３０のベルト支持ロール３２又は中間転写装置２０の支持ロール２６には、トナーの帯電極性と逆極性又は同極性を示す直流の電圧が二次転写用電圧として供給される。
【００２９】
定着装置４０は、記録用紙５の導入口及び排出口が形成された筐体４１の内部に、矢印で示す方向に回転するとともに表面温度が所定の温度に保持されるよう加熱手段によって加熱される定着ベルトを備えた加熱回転体４２と、この加熱回転体４２の軸方向にほぼ沿う状態で所定の圧力で接触して従動回転するドラム形態の加圧用回転体４３などを配置して構成されたものである。この定着装置４０では、加熱回転体４２と加圧用回転体４３が接触する接触部が所要の定着処理（加熱及び加圧）を行う定着処理部になる。
【００３０】
給紙装置５０は、中間転写装置２０及び二次転写装置３０の下方側の位置に存在するように配置される。この給紙装置５０は、所望のサイズ、種類等の記録用紙５を積載した状態で収容する単数（又は複数）の用紙収容体５１と、用紙収容体５１から記録用紙５を１枚ずつ送り出す送出装置５２とで主に構成されている。用紙収容体５１は、例えば、筐体１ａの正面（使用者が操作時に向き合う側面）側に引き出すことができるように取り付けられている。
【００３１】
給紙装置５０と二次転写装置３０との間には、給紙装置５０から送り出される記録用紙５を二次転写位置まで搬送する複数の用紙搬送ロール対５３〜５７や図示しない搬送ガイド材で構成される給紙搬送路が設けられている。給紙搬送路において二次転写位置の直前の位置に配置される用紙搬送ロール対５７は、例えば記録用紙５の搬送時期を調整するロール（レジストロール）として構成されている。また、二次転写装置３０と定着装置４０との間には、二次転写装置３０の二次転写ベルト３１から送り出される二次転写後の記録用紙５を定着装置４０まで搬送するためのベルト形態等の用紙搬送装置５８が設けられている。さらに、筐体１ａに形成される用紙の排出口に近い部分には、定着装置４０から送り出される定着後の記録用紙５を筐体１ａの外部に排出するための用紙排出ロール対５９が設けられている。
【００３２】
なお、前述したカラー複写機として構成する場合において装備される画像入力装置６０は、プリント対象の画像情報を有する原稿の画像を読み取る画像読取装置であり、例えば、図１に示されるように筐体１ａの上部に配置される。この画像入力装置６０は、読み込むべき画像の情報を有する原稿６を載せる透明ガラス板等からなる原稿載せ板（プラテンガラス）６１と、原稿載せ板６１上に置かれた原稿６を移動しながら照明する光源６２と、光源６２と共に移動しながら原稿６からの反射光を受光して所定の方向に反射させる反射ミラー６３と、反射ミラー６３に対して所定の速度でかつ所定の距離を移動する第１反射ミラー６４及び第２反射ミラー６５と、原稿６からの反射光を受光して読み取って電気信号に変換するＣＣＤ等からなる画像読取素子６６と、画像読取素子６６に反射光を結像させる結像レンズ６７等で主に構成されている。図１中の符号６８は、原稿載せ板６１を塞ぐ開閉カバーである。
【００３３】
また、画像入力装置６０で読み取られて入力される原稿の画像情報は、画像処理装置７０により必要な画像処理が施される。まず、画像入力装置６０では、読み取った原稿の画像情報を例えば赤（Ｒ）、緑（Ｇ）及び青（Ｂ）の３色の画像データ（例えば、各８ｂｉｔのデータ）として画像処理装置７０に送信する。一方、画像処理装置７０は、画像入力装置６０から送信された画像データについて、シェーディング補正、位置ずれ補正、明度／色空間変換、ガンマ補正、枠けし、色／移動編集等の予め定められた画像処理を施す。また、画像処理装置７０では、画像処理した画像信号を前記４色（Ｙ，Ｍ，Ｃ，Ｋ）の各画像信号にそれぞれ変更した後、露光装置１３に送信する。また、画像処理装置４０では、前記２つの特別色（Ｓ１，Ｓ２）のための画像信号も生成する。
【００３４】
＜画像形成装置の全体及び要部の動作＞
以下、画像形成装置１による基本的な画像形成動作について説明する。
【００３５】
ここでは、最初に、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するときの画像形成動作を代表して説明する。
【００３６】
画像形成装置１は、画像形成動作（プリント）の要求の指令情報を受けると、４つの作像装置１０（Ｙ，Ｍ，Ｃ，Ｋ）、中間転写装置２０、二次転写装置３０、定着装置４０等が始動する。
【００３７】
そして、各作像装置１０（Ｙ，Ｍ，Ｃ，Ｋ）においては、まず各感光ドラム１１が矢印Ａで示す方向に回転し、各帯電装置１２が各感光ドラム１１の表面を所要の極性（実施の形態１ではマイナス極性）及び電位にそれぞれ帯電させる。続いて、露光装置１３が、帯電後の感光ドラム１１の表面に対し、画像形成装置１に入力される画像の情報を各色成分（Ｙ，Ｍ，Ｃ，Ｋ）に変換して得られる画像の信号に基づいて発光される光ＬＢを照射し、その表面に所要の電位差で構成される各色成分の静電潜像をそれぞれ形成する。
【００３８】
続いて、各現像装置１４（Ｙ，Ｍ，Ｃ，Ｋ）が、感光ドラム１１に形成された各色成分の静電潜像に対し、所要の極性（マイナス極性）に帯電された対応する色（Ｙ，Ｍ，Ｃ，Ｋ）のトナーを現像ロール１４１，１４２からそれぞれ供給して静電的に付着させて現像を行う。この現像により、各感光ドラム１１に形成された各色成分の静電潜像は、その対応する色のトナーでそれぞれ現像された４色（Ｙ，Ｍ，Ｃ，Ｋ）のトナー像として顕像化される。
【００３９】
続いて、各作像装置１０（Ｙ，Ｍ，Ｃ，Ｋ）の感光ドラム１１上に形成された各色のトナー像が一次転写位置まで搬送されると、一次転写装置１５が、その各色のトナー像を中間転写装置２０の矢印Ｂで示す方向に回転する中間転写ベルト２１に対して順番に重ね合わせるような状態で一次転写させる。
【００４０】
また、一次転写が終了した各作像装置１０では、清掃前帯電装置１６が一次転写後の感光ドラム１１の表面に残留するトナー等の付着物を再帯電した後、ドラム清掃装置１７が再帯電された付着物を掻き取るように除去して感光ドラム１１の表面を清掃し、最後に、除電器１８が清掃後の感光ドラム１１の表面を除電する。これにより、各作像装置１０は次の作像動作が可能な状態にされる。
【００４１】
続いて、中間転写装置２０では、中間転写ベルト２１の回転により一次転写されたトナー像を保持して二次転写位置まで搬送する。一方、給紙装置５０では、作像動作に合わせて所要の記録用紙５を給紙搬送路に送り出す。給紙搬送路では、レジストロールとしての用紙搬送ロール対５７が記録用紙５を転写時期に合わせて二次転写位置に送り出して供給する。
【００４２】
二次転写位置においては、二次転写装置３０が、中間転写ベルト２１上のトナー像を記録用紙５に一括して二次転写させる。また、二次転写が終了した中間転写装置２０では、ベルト清掃装置２８が、二次転写後の中間転写ベルト２１の表面に残留したトナー等の付着物を取り除いて清掃する。
【００４３】
続いて、トナー像が二次転写された記録用紙５は、中間転写ベルト２１と二次転写ベルト３１から剥離された後に搬送装置５８により定着装置４０まで搬送される。定着装置４０では、回転する加熱回転体４２と加圧回転体４３との間の接触部に二次転写後の記録用紙５を導入して通過させることにより、必要な定着処理（加熱及び加圧）をして未定着のトナー像を用紙５に定着させる。最後に、定着が終了した後の記録用紙５は、その片面への画像の形成を行うだけの画像形成動作のときは、用紙排出ロール対５９により、例えば筐体１００の外部に設置される図示しない排出収容部にむけて排出される。
【００４４】
以上の動作により、４色のトナー像を組み合わせて構成されるフルカラー画像が形成された記録用紙９が出力される。
【００４５】
次に、画像形成装置１において、例えば上記した通常の画像形成を行う際に、前記特別色Ｓ１，Ｓ２の現像剤で構成される特別色トナー像を併せて形成するときの動作について説明する。
【００４６】
この場合は、まず、作像装置１０Ｓ１，１０Ｓ２において前述した作像装置１０（Ｙ，Ｍ，Ｃ，Ｋ）の場合と同様の作像動作が行われ、これにより作像装置１０Ｓ１，１０Ｓ２における各感光ドラム１１に特別色トナー像（Ｓ１，Ｓ２）がそれぞれ形成される。続いて、作像装置１０Ｓ１，１０Ｓ２で形成された各特別色トナー像は、前述した４色のトナー像に関する画像形成動作の場合と同様に、中間転写装置２０の中間転写ベルト２１に一次転写された後に、二次転写装置３０により中間転写ベルト２１から記録用紙９に（他の色のトナー像と併せて）二次転写される。最後に、特別色トナー像と他の色のトナー像が二次転写された記録用紙５は、定着装置４０において定着処理がなされた後、筐体１ａの外部に排出される。
【００４７】
以上の動作により、前述した４色のトナー像を組み合わせて構成されるフルカラー画像の全面又は一部に対して２つの特別色トナー像が重なり合って存在するように形成された記録用紙５が出力される。
【００４８】
この他、画像形成装置１が画像入力装置６０を装備するカラー複写機である場合は、その基本的な画像形成動作が次のように行われる。
【００４９】
すなわち、この場合は、画像入力装置６０に原稿６がセットされ、その画像形成動作（コピー）の要求の指令情報を受けると、画像入力装置６０において原稿６の原稿画像が読み取られた後、その読み取られた原稿画像の情報が画像処理装置７０において前述したような画像処理を施されて画像の信号として生成され、しかる後、その画像の信号が各作像装置１０（Ｓ１，Ｓ２，Ｙ，Ｍ，Ｃ，Ｋ）における露光装置１３に送信される。これにより、各作像装置１０では、その原稿６の画像情報に基づいた静電潜像の形成とトナー像の形成がそれぞれ行われる。それ以後は、前述した画像形成動作（プリント）の場合と同様の動作が行われ、最終的に、そのトナー像からなる画像が記録用紙５に形成されて出力される。
【００５０】
＜感光ドラムの具体的な構成＞
ところで、この実施の形態に係る画像形成装置では、感光ドラム１１の接地処理される円筒状又は円柱状の基材の周面に形成される感光材料からなる光導電性層（感光層）として、末端基の少なくとも一部が水酸基である化合物を脱水縮合反応させることによって得られる表面層を有する感光層が用いられている。
【００５１】
上記感光ドラム１１は、図３に示すように、アルミニウム等の金属を含む導電性を有する材料によって円筒形状に形成された基体１１１と、基体１１１の表面に積層された帯電で発生するカウンター電荷の注入を阻止する下引層１１２と、光電変換によって正極性及び負極性の電荷を発生する電荷発生層１１３と、電荷発生層１１３で発生した正極性及び負極性の電荷のうち、正極性の電荷を輸送し、表面に帯電された負極性の電荷を中和することで静電潜像を形成する電荷輸送層１１４と、電荷輸送層１１４と同様に正極性の電荷を輸送し、表面に帯電された負極性の電荷を中和することで静電潜像を形成するとともに、有機感光体層の表面を保護する電荷輸送性の表面層としての表面保護層１１５とから構成されている。
【００５２】
このような構造を有する感光ドラム１１は、例えば、次のようにして製造される。
【００５３】
・下引層１１２
酸化亜鉛（平均粒子径７０ｎｍ：テイカ社製：比表面積値１５ｍ2／ｇ）１００重量部をトルエン５００重量部と攪拌混合し、シランカップリング剤（ＫＢＭ６０３：信越化学社製）１．２５重量部を添加し、２時間混合した。その後、トルエンを減圧蒸留にて留去し、１２０℃で３時間焼き付けを行い、シランカップリング剤にて酸化亜鉛に表面処理を施した。
【００５４】
前記表面処理を施した酸化亜鉛１００部を５００部のテトラヒロドフランと攪拌混合し、アリザリン１部を５０部のテトラヒロドフランに溶解させた溶液を添加し、５０℃にて５時間攪拌した。その後、減圧ろ過にてアリザリンを付与させた酸化亜鉛をろ別し、さらに６０℃で減圧乾燥を行いアリザリン付与亜鉛顔料を得た。
【００５５】
このアリザリン付与亜鉛顔料６０部と硬化剤ブロック化イソシアネート（スミジュール３１７５、住友バイエルンウレタン社製）１３．５部とブチラール樹脂（エスレックＢＭ−１、積水化学社製）１５部をメチルエチルケトン８５部に溶解した溶液３８部と、メチルエチルケトン２５部とを混合し、直径１ｍｍのガラスビーズを用いてサンドミルにて２時間の分散を行い、分散液を得た。
【００５６】
得られた分散液に触媒としてジオクチルスズジラウレート０．００５部、シリコーン樹脂粒子（トスパール１４５、ＧＥ東芝シリコーン社製）４０部を添加し、１７０℃、４０分の乾燥硬化を行い、下引層用塗布液を得た。この下引層用塗布液を浸漬塗布法にて直径８４ｍｍ、長さ３４７ｍｍ、肉厚１ｍｍのアルミニウム基材１１１を浸漬塗布し、厚さ２１μｍの下引層１１２を得た。
【００５７】
・電荷発生層１１３
次いで、電荷発生物質としてＸ線回折スペクトルにおけるブラッグ角（２θ±０．２°）が、７．４°、１６．６°、２５．５°、２８．３°に強い回折ピークを持つクロロガリウムフタロシアニン結晶１部を、ポリビニルブチラール樹脂（商品名：エスレックＢＭ−Ｓ、積水化学社製）１部とともに酢酸ブチル１００部を加え、ガラスビーズとともにペイントシェーカーで１時間処理して分散させて、電荷発生層用塗布液を得た。この電荷発生層用塗布液を前記下引層１１２の表面に浸漬塗布し、１００℃にて１０分間加熱乾燥して、膜厚０．２μｍの電荷発生層１１３を得た。
【００５８】
・電荷輸送層１１４
下記式で示される電荷輸送材料（第１の電荷輸送材料）２部、下記構造式で示される高分子化合物（粘度平均分子量：３９，０００）３部を、テトラヒドロフラン１０部およびトルエン５部に溶解して電荷輸送層用塗布液を得た。この電荷輸送層用塗布液を前記電荷発生層１１３表面に浸漬塗布し、１３５℃にて３５分加熱乾燥して、膜厚２２μｍの電荷輸送層１１４を形成し、この感光体を下地感光体とした。
【化１】
0005915304.tif 000002
【００５９】
・表面保護層１１５
４フッ化エチレン樹脂粒子としてルブロンＬ−２（ダイキン工業社製）４部、および下記構造式２で表わされる繰り返し単位を含むフッ化アルキル基含有共重合体（重量平均分子量５０，０００。ｌ：ｍ＝１：１、ｓ＝１、ｎ＝６０）０．２部を、シクロペンタノン１６部に十分に攪拌混合して、４フッ化エチレン樹脂粒子懸濁液を作成した。
【化２】
0005915304.tif 000003
【００６０】
次に、下記の構造式Ａの電荷輸送材料：９４部、ベンゾグアナミン樹脂１部をシクロペンタノン２２０部に加えて、十分に溶解混合した後、前記４フッ化エチレン樹脂粒子懸濁液を加えて攪拌混合し、微細な流路をもつ貫通式チャンバーを装着した高圧ホモジナイザー（吉田機械興業製、ＹＳＮＭ−１５００ＡＲ）を用いて７００ｋｇｆ／ｃｍ2まで昇圧しての分散処理を３０回繰返した。その後、ジメチルポリシロキサン（グラノール４５０、共栄化学社製）を０．９部、ＮＡＣＵＲＥ５２２５（キングインダストリー社製）を０．１部加え、表面保護層形成用塗布液を調製した。この表面保護層形成用塗布液を浸漬塗布法で、前述の下地感光体の上に塗布し１５５℃で４０分乾燥し、膜厚６μｍの表面保護層１１５を形成し、この感光体を感光体Ａとした。
【化３】
0005915304.tif 000004
【００６１】
このようにして製造される感光体は、表面保護層１１５として構造式Ａの電荷輸送材料を含有しており、末端の少なくとも一部がＯＨ基（水酸基）である電荷輸送材料を、ジメチルポリシロキサンを用いて脱水縮合反応させることによって、図４に示すように、表面保護層１１５を得ている。
【００６２】
そのため、上記構造式Ａの電荷輸送材料のＯＨ基（水酸基）は、すべてが脱水縮合反応に寄与するわけではなく、構造式Ａの電荷輸送材料の一部のＯＨ基（水酸基）は、図４に示すように、脱水縮合反応に寄与せずに、そのまま表面保護層１１５中に残ることとなる。
【００６３】
＜トナーの具体的な構成＞
一方、この実施の形態に係る画像形成装置で用いられる現像剤４としてのトナーは、例えば、次のようにして製造したものが用いられる。
【００６４】
トナーは、凝集工程を２段階にした湿式トナー作成方法によって作成した。
【００６５】
トナーの構成材料の分散粒子の分散径は、母体凝集に用いる場合も、追加粒子に用いる場合も１ミクロン以下であることが望ましく、それ以上である場合には最終的に生成するトナーの粒径の分布が広くなったり、遊離粒子の発生が生じ、性能低下や信頼性低下の原因となりやすい。
【００６６】
追加する粒子分散液の量は、含まれる粒子の体積分率に依存し、追加粒子の量として最終的に生成する体積で凝集粒子の５０％以内であることが望ましい。
【００６７】
それ以上である場合は、母体粒子への凝集ではなく、新たに擬似粒子が生成することにより組成の分布や粒径の分布が著しくなり、所望の性能が得難くなる。
【００６８】
また、粒子の追加を段階的に分割して行ったり、徐々に連続的に行うことにより、新たな微小な凝集粒子の発生を抑制し、粒度分布をシャープにすることができる。
【００６９】
さらに、添加の段階毎に母体凝集粒子または追加粒子のガラス転移温度以下の範囲で温度を上昇させることにより、遊離粒子の発生を抑制することができる。
【００７０】
本実施の形態に使用するトナー用樹脂として用いられる熱可塑性結着樹脂となる重合体の例としては、
スチレン、パラクロロスチレン、α−メチルスチレン等のスチレン樹脂、アクリル酸メチル、アクリル酸エチル、アクリル酸ｎ−プロピル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等のビニル基を有するエステル類、アクリルニトリル、メタクリロニトリル等のビニルニトリル類、ビニルエチルケトン、ビニルイソプロペニルケトン等のビニルケトン類、エチレン、プロピレン、ブタジエンなどのポリオレフィン類などの単量体などの重合体またはこれらを２種以上組み合わせて得られる共重合体またはこれらの混合物、さらにはエポキシ樹脂、ポリエステル樹脂、ポリウレタン樹脂、ポリアミド樹脂、セルロース樹脂、ポリエーテル樹脂等、非ビニル縮合系樹脂、あるいはこれらと前記ビニル系樹脂との混合物やこれらの共存下でビニル系単量体を重合する際に得られるグラフト重合体等を挙げることができる。
【００７１】
離型剤の例としては、
ポリエチレン、ポリプロピレン、ポリブテン等の低分子量オレフィン類、
加熱により軟化点を有するシリコーン類、オイレイ酸アミド、エルカ酸アミド、リシノール酸アミド、ステアリン酸アミド等のような脂肪酸アミド類やカルナウバワックス、ライスワックス、キャンデリラワックス、木ロウ、ホホバ油等のような植物系ワックス、ミツロウのような動物系ワックス、モンタンワックス、オゾケライト、セレシン、パラフィンワックス、マイクロクリスタリンワックス、フィッシャートロプシュワックス等のような鉱物、石油系ワックス、及びそれらの変性物が使用できる。
【００７２】
着色剤については、種々の顔料、染料などを１種もしくは複数種類を併せて使用することができる。
【００７３】
以下に、この実施の形態で使用したトナーの作製方法について説明する。
【００７４】
樹脂分散液１の作成
スチレン              ３７０ｇ
ｎブチルアクリレート    ３０ｇ
アクリル酸                ６ｇ
ドデカンチオール        ２４ｇ
４臭化炭素                ４ｇ
【００７５】
以上を混合溶解しものを非イオン系界面活性剤ノニポール４００  ６ｇ、アニオン性界面活性剤ネオゲンＳＣ１０ｇをイオン交換水５５０ｇに溶解したものにフラスコ中で分散、乳化し１０分ゆっくりと混合しながら、過硫酸アンモニウム４ｇを溶解したイオン交換水５０ｇを投入し、窒素置換をおこなった。そののちフラスコを攪拌しながらオイルバスで内容物が７０℃になるまで加熱し、５時間そのまま乳化重合を継続した。
これにより、中心径１５０ｎｍ、ガラス転移点５９℃、Ｍｗ１２０００のアニオン性樹脂分散液を得た。
【００７６】
樹脂分散液２の作成
スチレン              ２８０ｇ
ｎブチルアクリレート  １２０ｇ
アクリル酸                ８ｇ
【００７７】
以上を混合溶解しものを非イオン系界面活性剤ノニポール４００  ６ｇ、アニオン性界面活性剤ネオゲンＳＣ１２ｇをイオン交換水５５０ｇに溶解したものにフラスコ中で分散、乳化し１０分ゆっくりと混合しながら、過硫酸アンモニウム３ｇを溶解したイオン交換水５０ｇを投入し、窒素置換をおこなった。そののちフラスコを攪拌しながらオイルバスで内容物が７０℃になるまで加熱し、５時間そのまま乳化重合を継続した。
これにより、中心径１０５ｎｍ、ガラス転移点５３℃、Ｍｗ５５００００のアニオン性樹脂分散液を得た。
【００７８】
顔料分散液の作成
カーボンブラック  モーガルＬ（キャボット）５０ｇ
非イオン系界面活性剤ノニポール４００          ５ｇ
イオン交換水                              ２００ｇ
【００７９】
以上を混合溶解し、ホモジナイザー（ＩＫＡウルトラタラックス）により１０分間分散し、中心粒子径２５０ｎｍのカーボンブラック分散液を得た。
【００８０】
離型剤分散液の作成
パラフィンワックスＨＮＰ０１９０（融点８５℃  日本蜜蝋）５０ｇ
カチオ系界面活性剤サニゾールＢ５０（花王）                ５ｇ
イオン交換水                                          ２００ｇ
【００８１】
以上を９５℃に加熱して、ＩＫＡウルトラタラックスＴ５０にて分散後、圧力吐出型ホモジナイザーで分散処理し、中心粒子径５５０ｎｍのワックス分散液を得た。
【００８２】
凝集粒子の作成
樹脂分散液１        １２０ｇ
樹脂分散液２          ８０ｇ
顔料分散液            ３０ｇ
離型剤分散液          ４０ｇ
サニゾールＢ５０    １．５ｇ
【００８３】
以上を丸型ステンレス製フラスコ中でウルトラタラックスＴ５０で混合分散した後、加熱用オイルバスでフラスコを攪拌しながら４８℃まで加熱した。４８℃で３０分保持した後、光学顕微鏡にて観察すると約５ミクロンの凝集粒子が生成していることが確認された。ここに樹脂分散液１を緩やかに６０ｇ追加し、さらに加熱用オイルバスの温度を上げて５０℃で１時間保持した。光学顕微鏡にて観察すると約５．７ミクロンの凝集粒子が生成していることが確認された。
【００８４】
その後、ここにネオゲンＳＣ３ｇを追加した後、ステンレス製フラスコを密閉し、磁力シールを用いて攪拌を継続しながら１０５℃まで加熱し、３時間保持した。
【００８５】
冷却後、ろ過し、イオン交換水で十分洗浄後、コールターカウンターで粒径を測定すると、５．６ミクロンであった。
【００８６】
上記凝集微粒子１００重量部に対して平均粒径１２ｎｍのシリカ粒子を０．５重量部および平均粒径４０ｎｍのシリカ粒子を１．０重量部ヘンシェルミキサーにて混合してトナー１を調製した。トナー１に帯電制御剤である無機粒子を外添し、ポリメチルメタクリレートをコートした平均粒径５０ミクロンのフェライトキャリアと混合することにより現像剤Ａを得た。
【００８７】
また、上記凝集微粒子１００重量部に対して平均粒径１２ｎｍのシリカ粒子を０．５重量部および平均粒径４０ｎｍのシリカ粒子を１．０重量部、ＰＴＦＥ粒子（ルブロンＬ−２）０．３重量部をヘンシェルミキサーにて混合してトナー２を調製した。トナー２に帯電制御剤である無機粒子を外添し、ポリメチルメタクリレートをコートした平均粒径５０ミクロンのフェライトキャリアと混合することにより現像剤Ｂを得た。
【００８８】
ところで、本発明者の研究によれば、上記の如く構成される感光ドラム１１と、上記の如く構成されるトナーを用いた画像形成装置において画像を形成した場合に、図５に示すように、例えば、記録用紙５上に中間調の一様な濃度のベタ画像を形成すると、画像の一部５ａの濃度が帯状に薄くなる画像欠陥が生じる場合があることが判った。
【００８９】
この画像の一部が帯状に薄くなる画像欠陥は、次のようなメカニズムによって発生すると考えられる。
【００９０】
上記画像形成装置で用いられるトナーは、上述したように、トナーの構成材料をイオン交換水中に分散させて微粒子とした後に微粒子を凝集させた凝集粒子を元に作成される。そのため、製品として製造されたトナー中には、極微量であるものの、製造工程で用いられた水分（Ｈ2Ｏ）が残留する場合がある。
【００９１】
一方、上記画像形成装置で用いられる感光ドラム１１は、表面保護層１１５として末端の少なくとも一部がＯＨ基である化合物を脱水縮合反応させることによって得られる表面層を用いている。しかし、末端の少なくとも一部がＯＨ基である化合物のすべてのＯＨ基が脱水縮合反応に寄与する訳ではなく、図４に示すように、化合物のＯＨ基の一部が未反応のまま残留することとなる。
【００９２】
すると、上記画像形成装置では、感光ドラム１１の表面にトナーが付着したままの状態である程度の時間にわたって放置されると、図４に示すように、トナー中に極微量に残留する場合がある水分（Ｈ2Ｏ）が、感光ドラム１１の表面保護層１１５を構成する化合物の残留したＯＨ基と水素結合により反応し、水素結合による双極子８０が形成される場合がある。
【００９３】
このように、上記画像形成装置において、感光ドラム１１の表面にトナーが付着したままの状態である程度の時間にわたって放置される箇所としては、図２に示すように、感光ドラム１１の表面に残留したトナーを清掃するドラム清掃装置１７の清掃板１７１（クリーニングブレード）のエッジ部分が挙げられる。上記ドラム清掃装置１７の内部は、回収したトナーが外部に漏れるのを防止するために、ドラム清掃装置１７の感光ドラム１１の回転方向上流側の端部に位置する間隙は、シール部材１７５によって密閉されているとともに、ドラム清掃装置１７の感光ドラム１１の回転方向下流側の端部に位置する間隙は、クリーニングブレード１７１によって密閉されており、密閉された空間となっている。
【００９４】
そのため、上記画像形成装置では、特に、画像密度の高い画像を連続して形成した後に、画像形成動作の休止時間が長時間続く場合などに、感光ドラム１１の表面にトナーが付着したままの状態である程度の時間にわたって放置される状態となる。その結果、上述したように、トナー中に極微量に残留する場合がある水分（Ｈ2Ｏ）が、図４に示すように、感光ドラム１１の表面保護層１１５を構成する化合物の残留したＯＨ基と水素結合により反応し、水素結合による双極子８０が形成され易い。ただし、画像密度の高い画像を連続して形成した後に、画像形成動作の休止時間が長時間続く場合は、例示であって、これに限定されるものではない。
【００９５】
このように、上記画像形成装置では、感光ドラム１１の表面保護層１１５に水素結合による双極子８０が形成されると、長時間休止後の最初の画像形成時などに、感光ドラム１１の表面を帯電装置１２によって一様な負極性の電位に帯電すると、図６に示すように、表面保護層中１１５の水素結合による双極子８０が一次帯電による電界によって分極する。
【００９６】
すると、感光ドラム１１の表面は、図７に示すように、一次帯電後に画像露光が施されると、画像露光によって電荷が移動する電荷輸送層１１４及び表面保護層１１５の作用によって、感光ドラム１１表面の画像露光部は、電荷が移動して電位が所謂露光部で電位ＶＬまで低下する。しかし、感光ドラム１１の表面保護層１１５に水素結合による双極子８０が存在すると、画像露光部の電荷が移動しようとしても、水素結合による双極子８０の分だけ感光ドラム１１の表面には、図６に示すように、負極性の電荷８１が残留してしまい、予め定められた露光部電位ＶＬまで電位が低下せず、図７に示すように、予め定められた露光部電位ＶＬよりも低いＶＬ’までしか電位が低下しない領域８２（図６参照）が存在することになる。
【００９７】
そのため、一様な濃度の中間調画像などを現像すると、図５に示すように、ドラム清掃装置１７のシール部材１７５と清掃板１７１との間の長さに対応した領域に、感光ドラム１１の軸方向に沿って帯状に濃度が低下した画像欠陥５ａが発生する場合があることが、本発明者の研究によって明らかとなった。
【００９８】
＜強制排出動作実行手段の構成＞
そこで、この実施の形態では、画像形成動作終了直後であって予め定められた条件を満たすときに、前記清掃手段で清掃した転写残トナーを強制的に排出する強制排出動作を実行する強制排出動作実行手段を備えている。
【００９９】
図８は上記の如く構成される画像形成装置を制御する制御装置を示すブロック図である。
【０１００】
図８において、符号９０は画像形成装置の動作を制御する制御手段及び強制排出動作実行手段としてのＣＰＵを示すものであり、このＣＰＵ９０は、ＲＯＭ９１に記憶された制御プログラムやＲＡＭ９２に記憶された実施条件等のデータに基づいて、画像形成動作を制御するとともに、画像形成動作終了直後であって予め定められた条件を満たすか否かを判別し、画像形成動作終了直後であって予め定められた条件を満たしたときに、ドラム清掃装置１７の内部に回収した転写残トナーを強制的に外部に排出する強制排出動作を実行する。
【０１０１】
上記ドラム清掃装置１７は、図２に示すように、回転ブラシロール１７２の表面に固形のステアリン酸亜鉛（ＺｎＳｔ）等からなる潤滑剤１７４が接触するように配置されており、回転ブラシロール１７２の回転に伴って潤滑剤１７４が徐々に削られて感光ドラム１１の表面へと供給される。なお、図２中、符号１７６は送出部材１７３を回転駆動することにより、ドラム清掃装置１７の本体１７０内に回収された転写残トナーをドラム清掃装置１７の外部に排出する駆動モーターを示している。この駆動モーター１７６は、他の部材を駆動するモーターと兼用されるものであっても良い。
【０１０２】
９３はＣＰＵ９０からの信号に基づいてドラム清掃装置１７の送出部材１７３を回転駆動する駆動モーター１７６の回転速度を変化させることが可能なモーター駆動回路を示しており、９４はＣＰＵ９０からの信号に基づいて回転ブラシロール１７２にクリーニングバイアス電圧を印加する高圧電源回路を示している。
【０１０３】
さらに、上記ＣＰＵ９０は、ドラム清掃装置１７によって清掃された転写残トナーの量を算出する。ＣＰＵ９０は、例えば、画像形成装置１の電源投入時などの基準となる時点から、作像装置１０において感光ドラム１１上に形成された各画像のエリアカバレッジＡＣ（％）と、記録用紙５のプリント枚数ＰＶと、感光ドラム１１の表面の単位面積当たりのトナー像量（ＤＭＡ）と、感光ドラム１１から中間転写ベルト２１への転写効率（例えば、約９０％）に基づいて、次の式に基づいてドラム清掃装置１７によって清掃された転写残トナーの総量を演算する。ここで、エリアカバレッジＡＣ（％）は、例えば、Ａ４サイズの記録用紙５の全体の何％の面積を対応する色のトナー像が覆っていたかを示す値である。
転写残トナーの総量＝｛Σ（ＡＣ×ＰＶ）×ＤＭＡ×（１−転写効率）｝
尚、Σはプリントした記録用紙５の１枚目から最後のＮ枚目まで求められる。
【０１０４】
また、ドラム清掃装置１７からは、送出部材１７３によって回収トナーが排出されるため、送出部材１７３による単位時間あたりの排出量である排出ＲＡＴＥは既知の値である。
【０１０５】
したがって、ＣＰＵ９０では、ドラム清掃装置１７の転写残トナーの総量を、排出ＲＡＴＥで除算することにより、ドラム清掃装置１７内に回収されたトナーをすべて外部に強制排出するために必要とする時間が求められる。
【０１０６】
ただし、感光ドラム１１上に形成されるトナー像としては、通常の画像以外に、非画像領域に形成されるトナーバンド、画質や画像濃度を調整するためのパッチと呼ばれるトナー像など種々のものが存在する。
【０１０７】
したがって、ＣＰＵ９０は、通常の画像以外に、これらのトナーバンド、画質や画像濃度を調整するためのパッチと呼ばれるトナー像などの量をも考慮して、ドラム清掃装置１７の転写残トナーの総量を求めるのが望ましい。
【０１０８】
なお、上記トナーバンドは、中間転写ベルト２１上に一次転写されたり、中間転写ベルト２１上に転写されることなくそのままドラム清掃装置１７によって回収される場合などがあり、ＣＰＵ９０は、一次転写装置１５に供給される一次転写バイアス電圧又は電流をモニターしながら、転写残トナーの総量を演算する。
【０１０９】
＜強制排出動作実行手段の動作＞
ＣＰＵ９０は、基本的に、イエロー（Ｙ）、マゼンタ（Ｍ）、シアン（Ｃ）及びブラック（Ｋ）の４色のトナー像と特別色Ｓ１、Ｓ２の２種類のトナー像とをそれぞれ専用に形成する６つの作像装置１０Ｙ，１０Ｍ，１０Ｃ，１０Ｋ，１０Ｓ１，１０Ｓ２で作像動作が実行されたときのジョブエンド（終了直後）に強制排出動作を実行する。
【０１１０】
この強制排出動作は、例えば、一次転写ロール１５及び中間転写ベルト２１を感光ドラム１１の表面から離間させた状態で実行されるが、必ずしも一次転写ロール１５及び中間転写ベルト２１を感光ドラム１１の表面から離間させずに実行しても良い。強制排出動作は、図８に示すように、モーター駆動回路９３を介してドラム清掃装置１７のスクリューオーガー等の送出部材１７３の回転速度を、通常の清掃時よりも例えば、１．５〜２倍程度速い測度に切り替えて実行される。また、回転ブラシロール１７２に高圧電源回路９４を介してＡＣ１Ｋｖ程度の交流電圧を印加することにより、回転ブラシロール１７２に付着したプラス帯電及びマイナス帯電のトナーを静電的な反発力かつ物理的な遠心力によって効果的に除去することができる。そのため、回転ブラシロール１７２に付着したトナーが画像形成装置の停止時に感光ドラム１１に影響を与えるのを防止乃至抑制することができる。なお、回転ブラシロール１７２の回転時間は、後述するように、ドラム清掃装置１７の転写残トナーの総量を考慮して決定されるが、予め定められた値に設定しても良い。
【０１１１】
また、強制排出動作には、図２に示すように、回転ブラシロール１７２を介して感光ドラム１１の表面に潤滑剤１７４の粉末を塗布することによって、感光ドラム１１の表面保護層１１５が水分の影響を受けて双極子分極が発生するのを抑制する効果も期待される。
【０１１２】
ＣＰＵ９０は、次の式に基づいて、ドラム清掃装置１７によって清掃された転写残トナーの総量を演算し、ドラム清掃装置１７の転写残トナーの総量を、排出ＲＡＴＥで除算することで決定された時間だけ、ドラム清掃装置１７のスクリューオーガー等の送出部材１７３を強制的に駆動する。
転写残トナーの総量＝｛Σ（ＡＣ×ＰＶ）×ＤＭＡ×（１−転写効率）｝
【０１１３】
さらに、ＣＰＵ９０は、強制排出動作を実行中に、プリントジョブ信号が入力された場合には、強制排出動作を直ちに中止して、プリントジョブを開始する。そして、プリントジョブが終了した直後に、それ以前の残りの強制排出動作を実行するとともに、プリントジョブによって新たに発生した回収トナーを強制的に外部に排出する。
【０１１４】
また、ＣＰＵ９０は、画像形成装置１が一定時間使用されないため、省電力のため待機モードに移行する場合や、画像形成装置１の電源がオフ操作された場合には、強制排出動作を実行した後に、待機モードへ移行したり、画像形成装置１の電源が最終的にオフされる。
【０１１５】
[実施の形態２]
図９は、実施の形態２に係る画像形成装置を示すものである。
【０１１６】
＜強制排出動作実行手段の構成及び動作＞
この実施の形態２に係る画像形成装置では、図９に示すように、画像形成装置本体１内の少なくとも湿度（この実施の形態では温度及び湿度）を検出する環境センサー９５を備えている。
【０１１７】
ＣＰＵ９０は、環境センサー９５によって画像形成装置本体１内の湿度（相対湿度）を常時モニターしており、環境センサー９５によって検出された湿度が湿度閾値（例えば、７０％）を超えているか否かを判別する。
【０１１８】
ＣＰＵ９０は、環境センサー９５によって検出された湿度が湿度閾値を超えていると判別した場合、ドラム清掃装置１７によって実行する強制排出動作の実行時間を、上述した式に基づいて演算された時間よりも長い時間だけ、例えば、環境センサー９５によって検出された湿度が７０％を超えている場合には、ドラム清掃装置１７によって実行する強制排出動作の実行時間を、１．５倍程度延長して実行する。
【０１１９】
このように、高湿環境下においては、図９に示すように、ドラム清掃装置１７の本体１７内部において転写残トナーと感光ドラム１１の表面保護層１１５とが接触することによって双極子８０が発生し易い。そのため、ドラム清掃装置１７によって実行する強制排出動作の実行時間を延長して実行することにより、ドラム清掃装置１７の内部に回収された転写残トナーを強制的に排出させることができ、双極子８０の発生を未然に防止乃至抑制することが可能となる。
【０１２０】
その他の構成及び作用は、前記実施の形態と同様であるのでその説明を省略する。
【０１２１】
なお、前記実施の形態では、感光ドラム１１上に形成されたトナー像を中間転写装置３を介して被記録材としての記録用紙５に転写する場合について説明したが、感光ドラム１１上に形成されたトナー像を直接被記録材としての記録用紙５に転写するように構成しても良く、この場合には、感光ドラム１１を１つのみ備えたモノクロの画像形成装置や、複数の感光ドラム上に形成された互いに色の異なるトナー像を、搬送ベルトによって搬送される記録用紙上に直接多重に転写するように構成しても良い。
【符号の説明】
【０１２２】
１１：感光ドラム、１３：露光装置、１４：現像装置、３２：二次転写ロール、１７：ドラム清掃装置、９０：強制排出動作実行手段。
【図１】
0005915304.tif 000005
【図２】
0005915304.tif 000006
【図３】
0005915304.tif 000007
【図４】
0005915304.tif 000008
【図５】
0005915304.tif 000009
【図６】
0005915304.tif 000010
【図７】
0005915304.tif 000011
【図８】
0005915304.tif 000012
【図９】
0005915304.tif 000013